(57)【特許請求の範囲】
【請求項１】
商用電圧を所定の直流電圧に変換する取り外し可能なＡＣアダプタと情報処理装置本体部とからなる携帯型情報処理装置であって、
前記ＡＣアダプタは、側面に係合用突起部と直流電圧供給部とを有し、
前記情報処理装置本体部は、筐体の側面に前記ＡＣアダプタの前記係合用突起部と係合して該ＡＣアダプタを取り外し可能に保持する係合用溝部と、前記ＡＣアダプタの前記直流電圧供給部から出力される直流電圧の入力部とを有し、
前記ＡＣアダプタの前記係合用突起部は、該ＡＣアダプタの側面の長手方向に平行に２列設けられており、
前記情報処理装置本体部の前記係合用溝部は、該情報処理装置本体部の筐体の側面の奥行き方向に、該筐体の前面を前記係合用突起部の挿入用の開口部として平行に２列設けられており、
前記ＡＣアダプタの前記係合用突起部の片方の列の長さは、他の１列の長さよりも短く、
前記直流電圧供給部は、短い方の前記係合用突起部の延長線上に、該係合用突起部の断面より小さい断面となるように設けられており、
直流電圧の前記入力部は、前記係合用溝部に前記係合用突起部が所定の関係で係合したときに、前記直流電圧供給部の電圧供給用の接点と該入力部の接点が接触するように該係合用溝部に設けられていることを特徴とする携帯型情報処理装置。
【請求項２】
前記ＡＣアダプタの前記係合用突起部の短い列は、前記情報処理装置本体部の下側の係合用溝部に係合する列である、請求項１に記載の携帯型情報処理装置。
【請求項３】
前記ＡＣアダプタの前記係合用突起部の断面形状は、該ＡＣアダプタの本体と連接する長方形部分と、該長方形部分に連接して連接方向に短軸を有する楕円形部分とにより構成され、
前記筐体の前記係合用溝部の断面形状は、前記係合用突起部の断面形状と滑動可能に整合する形状である、請求項１または請求項２に記載の携帯型情報処理装置。
【請求項４】
前記ＡＣアダプタの前記係合用突起部の断面形状は、該ＡＣアダプタの本体と連接する長方形部分と、該長方形に連接して連接方向に短辺を有する長方形部分とにより構成されるＴ字型であり、
前記筐体の前記係合用溝部の断面形状は、前記係合用突起部の断面形状と滑動可能に整合する形状である、請求項１または請求項２に記載の携帯型情報処理装置。
【請求項５】
前記筐体の前記係合用溝部の終端に、一定の幅で前記筐体の前記側面より開けられた開口部が設けられている、請求項１から請求項４のいずれか１項に記載の携帯型情報処理装置。
【請求項６】
前記筐体の前記係合用溝部の前記筐体の前面の開口部の近傍には、前記係合用溝部に前記係合用突起部が所定の関係で係合したときに、前記係合用突起部の移動を固定する手動で開放可能なストッパが設けられている、請求項１から請求項５のいずれか１項に記載の携帯型情報処理装置。
【請求項７】
前記ＡＣアダプタの外面には、交流電源に接続するケーブルの係着部が設けられている、請求項１から請求項６のいずれか１項に記載の携帯型情報処理装置。
【請求項８】
前記携帯型情報処理装置が携帯用ノートパソコンである、請求項１から請求項７のいずれか１項に記載の携帯型情報処理装置。
【発明の詳細な説明】
【技術分野】
【０００１】
本発明は携帯型情報処理装置に関し、特に取り外し可能なＡＣアダプタを備えた携帯型情報処理装置に関する。
【背景技術】
【０００２】
ＣＰＵ、メモリ、およびディスクの小型化と大容量化に伴って情報処理装置であるパソコンのサイズが小さくなったことから、従来の主流であったディスクトップ型のパソコンに加えてノートパソコンが急速に普及している。ノートパソコンはディスクトップ型の代替として使用されるとともに、携帯するのに非常に便利になったことから携帯用のパソコンとしての利用も拡大しており、殆どのノートパソコンは携帯が可能な構造となっている。
【０００３】
ノートパソコンでは、通常、パソコン本体部は別体となったＡＣアダプタの直流側ケーブルと接続して使用されており、ＡＣアダプタで商用電圧を所定の直流電圧に変換してパソコン本体部に供給している。パソコン本体部は内部に補助バッテリを有しており、交流電源がなくてもある時間の範囲内は動作が可能なので、使用予定時間が短い場合はＡＣアダプタを切り離してパソコン本体部のみを携帯して使用することができる。
【０００４】
しかし、使用時間の長期化が予想され、使用場所に交流電源がある場合には、パソコン本体とともにＡＣアダプタを携行する必要がある。そのため、ノートパソコンを携帯する際には、ノートパソコンのほかにＡＣアダプタと電源ケーブルとを持ち運ぶ必要があるので非常に不便である。電源ケーブル、ＡＣアダプタを持つのに注意するあまり、ノートパソコンを落として壊してしまうといった可能性もあり、携帯方法を工夫する必要があった。
【０００５】
特許文献１には、ノートパソコン本体とマウス・ＡＣアダプタなどの周辺機器とを、常時ケースに収納設置した状態で保管管理・運搬・使用できる常時収納使用型ノートパソコンケースが開示されている。ケースごと携帯できるので上述のようなトラブルは回避できる。
【０００６】
特許文献２には、情報処理装置本体にＡＣアダプタを着脱自在に取付け可能とし、ＡＣアダプタを情報処理装置携帯時の把手に兼用できるようにした情報処理装置が開示されている。ＡＣアダプタが携帯時の把手を兼用する構成となっているので上述のようなトラブルは回避できる。
【０００７】
特許文献３には、電子機器あるいは電子機器に装着された電池ケースに着脱可能に構成されたＡＣアダプタが開示されている。ＡＣアダプタが電子機器に取り付けられているので携帯時にも上述のようなトラブルは回避できる。
【特許文献１】特開２００５−３４２４９３号公報
【特許文献２】特開平９−３４５８８号公報
【特許文献１】特開２０００−３３３３７８号公報
【発明の開示】
【発明が解決しようとする課題】
【０００８】
ノートパソコンは、通常、パソコン本体部とは別体となったＡＣアダプタの直流側ケーブルと接続して使用されているので、携帯して移動するときには取り扱い上の問題があり、上述のようにその対策が工夫されている。
【０００９】
しかし、特許文献１に記載のパソコンケースを使用する方法では専用のパソコンケースを準備する必要があり、携帯して使用する頻度の高い使用者にとっては便利であるが、携帯して使用する頻度の少ない使用者にとっては余分の設備となるという問題がある。
【００１０】
特許文献２に記載のＡＣアダプタを装置本体の携帯用把手に兼用させる方法では、ＡＣアダプタを装置本体と別々に携帯することによる問題は解決できるが、ＡＣアダプタと装置本体とは、ＡＣアダプタが装置本体と係合している入力部と出力部に設けられた爪で固定されているだけなので、移動中に装置本体に強い外力が加わった場合に爪が欠損して装置本体が脱落するという可能性がある。
【００１１】
特許文献３に記載のＡＣアダプタを装置本体に係着させる方法では、ＡＣアダプタを装置本体と別々に携帯することによる問題は解決できるが、ＡＣアダプタと装置本体あるいはバッテリパックとはＡＣアダプタのコネクタが相手の固定用穴に係合していて、さらにコネクタは回転軸でＡＣアダプタ本体に回転可能に係合している構成なので、通常の使用の状態では問題はないが移動中にＡＣアダプタ本体に外力が加わった場合に、係合部が欠損するという可能性がある。
【００１２】
本発明の目的は、ＡＣアダプタと電源ケーブルとが取り外し可能に情報処理装置本体部の側面に固定でき、携帯時の外力に対しても係合部の破損の可能性の少ない携帯型情報処理装置を提供することにある。
【課題を解決するための手段】
【００１３】
本発明の携帯型情報処理装置は、
商用電圧を所定の直流電圧に変換する取り外し可能なＡＣアダプタと情報処理装置本体部とからなる携帯型情報処理装置であって、ＡＣアダプタは、側面に係合用突起部と直流電圧供給部とを有し、情報処理装置本体部は、筐体の側面にＡＣアダプタの係合用突起部と係合してそのＡＣアダプタを取り外し可能に保持する係合用溝部と、ＡＣアダプタの直流電圧供給部から出力される直流電圧の入力部とを有し、ＡＣアダプタの係合用突起部は、そのＡＣアダプタの側面の長手方向に平行に２列設けられており、情報処理装置本体部の係合用溝部は、その情報処理装置本体部の筐体の側面の奥行き方向に、その筐体の前面を係合用突起部の挿入用の開口部として平行に２列設けられていることを特徴とする。
【００１４】
ＡＣアダプタの係合用突起部の片方の列の長さは、他の１列の長さよりも短くてもよく、ＡＣアダプタの係合用突起部の短い列は、情報処理装置本体部の下側の係合用溝部に係合する列であってもよい。
【００１５】
ＡＣアダプタの係合用突起部の断面形状は、そのＡＣアダプタの本体と連接する長方形部分と、その長方形部分に連接して連接方向に短軸を有する楕円形部分とにより構成され、筐体の係合用溝部の断面形状は、係合用突起部の断面形状と滑動可能に整合する形状であってもよく、ＡＣアダプタの係合用突起部の断面形状は、そのＡＣアダプタの本体と連接する長方形部分と、その長方形に連接して連接方向に短辺を有する長方形部分とにより構成されるＴ字型であり、筐体の係合用溝部の断面形状は、係合用突起部の断面形状と滑動可能に整合する形状であってもよい。
【００１６】
筐体の係合用溝部の終端には、その溝部の長辺側の頂点からその筐体の表面に向けて延びる所定の幅の開放部が設けられていてもよく、筐体の係合用溝部の筐体の前面の開口部の近傍には、係合用溝部に係合用突起部が所定の関係で係合したときに、係合用突起部の移動を固定する手動で開放可能なストッパが設けられていてもよい。
【００１７】
直流電圧供給部は、短い方の係合用突起部の延長線上に、その係合用突起部の断面より小さい断面となるように設けられており、直流電圧の入力部は、係合用溝部に係合用突起部が所定の関係で係合したときに、直流電圧供給部の電圧供給用の接点とその入力部の接点が接触するようにその係合用溝部に設けられていてもよく、ＡＣアダプタの外面には、交流電源に接続するケーブルの係着部が設けられていてもよく、携帯型情報処理装置が携帯用ノートパソコンであってもよい。
【００１８】
携帯型情報処理装置のＡＣアダプタは、側面に係合用突起部と直流電圧供給部とを有し、パソコン本体部は、筐体の側面にＡＣアダプタの係合用突起部と係合してそのＡＣアダプタを取り外し可能に保持する係合用溝部と、ＡＣアダプタの直流電圧供給部から出力される直流電圧の入力部とを有する。従って、パソコン本体部にＡＣアダプタを取り付けたままでの移動が可能となる。また、係合する面積が大きくなり外力によって生ずる応力が拡散されるので係合部の破損が防がれる。係合部を上下２列にするのでどの方向からの外力であっても局部的な応力の集中が防げ、そのうちの１列の長さを短くすることで、係合用溝部の形成による筐体の強度低下が抑制される。
【発明の効果】
【００１９】
本発明は、携帯型情報処理装置のＡＣアダプタと携帯型情報処理装置本体とを、ＡＣアダプタの係合用突起部と携帯型情報処理装置本体側面の係合用溝部とを係合させることによって取り外し可能に固定し、電源ケーブルをＡＣアダプタに保持できるので、携帯型情報処理装置にＡＣアダプタを取り付けたまま容易に、かつ安全に携帯して移動することが可能になるという効果がある。
【００２０】
また、ＡＣアダプタの係合用突起部は上下２列とし、下の列は上の列より短くすることにより外力によって生ずる応力の殆どを上の列で受け、上下方向の曲げ応力を上下の列で受けるので、外力による変形や破損を防止でき、かつ携帯型情報処理装置本体側面の係合用溝部の長さを短くできるので、溝部の形成による筐体の強度の低下を少なくできるという効果がある。
【発明を実施するための最良の形態】
【００２１】
本発明においては、ＡＣアダプタを携帯型情報処理装置の情報処理装置本体の側面に着脱可能とすることにより、携帯型情報処理装置を携帯して移動する際に、同時に、容易に、ＡＣアダプタも携帯可能となることを特徴とする。本発明の実施の形態では携帯型情報処理装置として最も多く使用されている携帯用ノートパソコンを例として説明する。本発明の携帯型情報処理装置は携帯用ノートパソコンに限定されるものではなく、例えばワードプロセッサやＰＤＡなどの個人情報端末にも適用できる。
【００２２】
次に、本発明の第１の実施の形態について図面を参照して説明する。図１は本発明の第１の実施の形態の携帯用ノートパソコンのパソコン本体からＡＣアダプタを取り外した状態を示す模式的斜視図であり、図２は本発明の第１の実施の形態の携帯用ノートパソコンのパソコン本体にＡＣアダプタを取り付けた状態を示す模式的斜視図である。図３は図１のＡ−Ａ断面のＡＣアダプタの模式的部分断面図であり、図４は図１のＢ−Ｂ断面のパソコン本体の模式的部分断面図である。図５はＡＣアダプタの模式的側面図であり、図６はパソコン本体の模式的部分側面図である。
【００２３】
本発明の第１の実施の形態の携帯用ノートパソコン１の使用形態について説明する。携帯用ノートパソコン１は、商用電圧を所定の直流電圧に変換する取り外し可能なＡＣアダプタ２０とパソコン本体１０とから構成される。通常はＡＣアダプタ２０をパソコン本体１０の右あるいは左の側面に係着してＡＣアダプタ２０の電源コード３０のプラグ３１を交流電源に接続して使用する。携帯して移動するときにはＡＣアダプタ２０をパソコン本体１０に取り付けたまま、電源コード３０とプラグ３１とをＡＣアダプタ２０の下面に設けられたコード巻き付けアーム２７に巻き付けて移動する。移動先に交流電源がなかったり、使用予定時間が短かったりする場合は、ＡＣアダプタ２０を取り外してパソコン本体１０のみを携行する。なお、本実施の形態では汎用のＡＣアダプタのＤＣコネクタジャックと接続できるコネクタ１９を設けることとしているので、移動先で同じ規格の汎用のＡＣアダプタが利用できればパソコン本体１０のみを携帯してもよい。コネクタ１９は特に設けなくてもよい。
【００２４】
次に、ＡＣアダプタ２０とパソコン本体１０との構成について説明する。ＡＣアダプタ２０の側面には第１の係合用突起部２２と第２の係合用突起部２３との２列の係合用突起部が設けられている。第２の係合用突起部２３は第１の係合用突起部２２よりも短くなっている。これはＡＣアダプタ２０をパソコン本体１０に取り付けた状態で、ＡＣアダプタ２０に加わる力の大半は第１の係合用突起部２１が支え、第２の係合用突起部２３は第１の係合用突起部２２の最も弱い根元に掛かる垂直方向の曲げ応力を軽減させる作用を行うだけなので余り長くする必要がないことと、この第２の係合用突起部２３と係合するパソコン本体１０の筐体１１の側壁に設けられた第２の係合用溝部１３の長さを短くするためである。パソコン本体１０の筐体１１は薄く、筐体１１に溝部を設けることは筐体１１の強度を低下させるので、少しでも溝部の長さを減らすことが望ましい。しかし、第２の係合用突起部２３を第１の係合用突起部２２と同じ長さとしても機能的な問題はない。
【００２５】
係合用突起部２２、２３の断面の形状は、第１の実施の形態では、ＡＣアダプタ本体２１と連接して首部となる長方形部分と、その長方形の首部に連接して設けられていて連接方向に短軸を有する楕円形部分とにより構成されている。
【００２６】
ＡＣアダプタ２０の第２の係合用突起部２３と長さ方向で近接した位置に、パソコン本体１０にＤＣ電源を供給するＤＣ出力端子部２４が設けられている。ＤＣ出力端子部２４の第２の係合用突起部２３の長さ方向と直交する断面は係合用突起部２３の断面より小さくなっている。ここではＤＣ出力端子部２４を第２の係合用突起部２３と隣接する位置に設け、ＤＣ入力端子部１４を筐体１１の第２の係合用溝部１３に設けることにしているがこれに限定されるものではなく、例えば筐体１１にＤＣコネクタを設け、ＡＣアダプタ２０からＤＣコネクタジャックを経由して直流電圧を供給してもよい。
【００２７】
また、ＡＣアダプタ本体部２１の下面の左右には逆Ｔ字型のコード巻き付けアーム２７が設けられており、携帯用ノートパソコン１の格納時や携帯時に電源コード３０とプラグ３１とをアームに巻き付けて収納できる。
【００２８】
パソコン本体１０の筐体１１のＡＣアダプタ２０が取り付けられる側面には、ＡＣアダプタ２０の第１の係合用突起部２２と第２の係合用突起部２３とに係合する位置に、第１の係合用溝部１２と第２の係合用溝部１３とが形成されている。第１の係合用溝部１２と第２の係合用溝部１３との断面形状はＡＣアダプタ２０の係合用突起部２２、２３の断面形状と滑動可能に整合する形状となっている。第１の係合用溝部１２と第２の係合用溝部１３のそれぞれの一方の端部は挿抜用開口１７として筐体１１の前部に開放されている。
【００２９】
第１の係合用溝部１２の長さは第１の係合用突起部２２の長さより一定の長さで長くなっている。第１の係合用突起部２２が第１の係合用溝部１２の先端まで押し込まれたときに、第１の係合用突起部２２の後端と係合して後退を阻止する不図示のストッパが筐体１１の内部に設けられている。ストッパはばねで溝の内部に向けて押圧されていて、第１の係合用突起部２２が押し込まれている間は筐体内に押し込まれる。第１の係合用突起部２２が先端まで押し込まれたときにストッパは開放されて第１の係合用突起部２２の後端と係合して、第１の係合用突起部２２をその位置に固定する。また、筐体１１の前側の側面にはこのストッパを押し戻して固定を解除するロック開放ボタン１８が設けられていて、ロック開放ボタン１８を押すことによってＡＣアダプタ２０をパソコン本体１０から引き出すことができる。ストッパは押し込まれた第１の係合用突起部２２をその位置に固定できれば他の形態でもよい。
【００３０】
第２の係合用溝部１３は、第１の係合用溝部１２に第１の係合用突起部２２が固定された状態で第２の係合用突起部２３の先端より一定の長さ長く延びている。この延びた部分にＡＣアダプタ２０の第２の係合用突起部２３の先端に近接して設けられたＤＣ出力端子部２４が進入し、その固定位置に対応して筐体１１の側面にＤＣ入力端子部１４が設けられている。
【００３１】
また、第１の係合用溝部１２と第２の係合用溝部１３との先端部の筐体１１の側面には一定の幅で溝部１２、１３と同じ高さで開放される第１の開口部１５と第２の開口部１６とが設けられている。この開口部１５、１６は溝部１２、１３の底に溜まった塵埃の除去の目的と、ＤＣ入力端子部１４の位置に第２の開口部１６を設けることでＤＣ入力端子部１４の点検が容易になる。また、第２の開口部１６の近傍の筐体側面に汎用のＡＣアダプタのＤＣコネクタジャックと接続できるコネクタ１９が設けられている。このコネクタ１９はこの位置でなくてもよく、また設けられなくても携帯用ノートパソコン１は機能する。
【００３２】
次に、ＡＣアダプタ２０のパソコン本体１０への係着方法について説明する。ＡＣアダプタ２０の第１の係合用突起部２２と第２の係合用突起部２３とを、パソコン本体１０の筐体１１の前面の挿抜用開口１７から側面に設けられた第１の結合用溝部１２と第２の結合用溝部１３とに挿入して溝内に押し込む。第１の係合用突起部２２の先端が第１の結合用溝部１２の先端に達すると、筐体１１の内部に設けられた不図示のストッパがばねの力で溝内に突出して第１の係合用突起部２２の後端と係合してＡＣアダプタ２０はパソコン本体１０に固定される。このとき第２の係合用突起部２３の先端近傍に設けられたＤＣ出力端子部２４が第２の結合用溝部１３内に設けられたＤＣ入力端子部１４と係合する。電源コード３０がＡＣアダプタ２０の下面の左右に設けられた逆Ｔ型のコード巻き付けアーム２７に収納されている場合は電源コード３０を引き出して、電源コード３０のプラグ３１を交流電源のコンセントに差し込む。それによって直流電圧がＡＣアダプタ２０のＤＣ出力端子部２４からＤＣ入力端子部１４を経由してパソコン本体１０に供給される。
【００３３】
ＡＣアダプタ２０をパソコン本体１０に取り付けたまま携帯用として移動する場合には、電源コード３０のプラグ３１を交流電源のコンセントから抜いて、電源コード３０とプラグ３１をコード巻き付けアーム２７に巻き付けて収納し、その状態で移動する。パソコン本体１０からＡＣアダプタ２０を取り外すには、パソコン本体１０の筐体１１の前面のロック開放ボタン１８を押圧すると、ストッパが筐体１１内に引っ込んで第１の係合用突起部２２の終端が開放されるので、ＡＣアダプタ２０の係合用突起部２２、２３を筐体１１の係合用溝部１２、１３から引き出すことにより、ＡＣアダプタ２０はパソコン本体１０から取り外される。
【００３４】
次に、本発明の第２の実施の形態の携帯用ノートパソコンについて図面を参照して説明する。図７は本発明の第２の実施の形態の携帯用ノートパソコンのＡＣアダプタの模式的断面図であり、図８はパソコン本体の模式的部分断面図である。第２の実施の形態は、図１から図６を参照して説明した第１実施の形態とは係合用突起部と係合用溝部との断面形状が異なるだけで他の構成は同じなので、図１、２、５、６を参照して相違点だけを図７、８で説明し、同一の構成部分については同じ符号と名称を付して説明を省略する。
【００３５】
第１の実施の形態では、図３に示すように係合用突起部２２、２３の断面の形状は、ＡＣアダプタ本体２１と連接して首部となる長方形部分と、その長方形の首部に連接して設けられていて連接方向に短軸を有する楕円形部分とにより構成されていた。第２の実施の形態では、係合用突起部５２、５３の断面の形状は、図７に示すようにＡＣアダプタ本体２１と連接して首部となる長方形部分と、その長方形の首部に連接して設けられていて連接方向に短辺を有する長方形部分とにより構成されるＴ字型となっている。
【００３６】
第２の実施の形態の第１の係合用溝部４２および第２の係合用溝部４３の断面の形状は、図８に示すようにＡＣアダプタ２０の係合用突起部５２、５３の断面形状と滑動可能に整合する形状となっている。第１の実施の形態の断面形状とするか、第２の実施の形態の断面形状とするかにより、機能面での大きな違いはないので、加工面と意匠面とで選択すればよい。また、係合用突起部の断面の形状はこの２つの形態に限定されるものではなく、ＡＣアダプタ２０とパソコン本体１０とが容易に、かつ強固に結合できる形状であればよく、例えばＬ型の形状であってもよい。
【図面の簡単な説明】
【００３７】
【図１】本発明の第１の実施の形態の携帯用ノートパソコンのパソコン本体からＡＣアダプタを取り外した状態を示す模式的斜視図である。
【図２】本発明の第１の実施の形態の携帯用ノートパソコンのパソコン本体にＡＣアダプタを取り付けた状態を示す模式的斜視図である。
【図３】図１のＡ−Ａ断面のＡＣアダプタの模式的断面図である。
【図４】図１のＢ−Ｂ断面のパソコン本体の模式的部分断面図である。
【図５】第１の実施の形態のＡＣアダプタの模式的側面図である。
【図６】第１の実施の形態のパソコン本体の模式的部分側面図である。
【図７】第２の実施の形態のＡＣアダプタの模式的側面図である。
【図８】第２の実施の形態のパソコン本体の模式的部分側面図である。
【符号の説明】
【００３８】
１    携帯用ノートパソコン
１０    パソコン本体
１１    筐体
１２、４２    第１の係合用溝部
１３、４３    第２の係合用溝部
１４    ＤＣ入力端子部
１５    第１の開口部
１６    第２の開口部
１７    挿抜用開口
１８    ロック開放ボタン
１９    ＤＣコネクタ
２０    ＡＣアダプタ
２１    アダプタ本体部
２２、５２    第１の係合用突起部
２３、５３    第２の係合用突起部
２４    ＤＣ出力端子部
２７    コード巻き付けアーム
３０    電源コード
３１    プラグ
【図１】
0004573046.tif 000002
【図２】
0004573046.tif 000003
【図３】
0004573046.tif 000004
【図４】
0004573046.tif 000005
【図５】
0004573046.tif 000006
【図６】
0004573046.tif 000007
【図７】
0004573046.tif 000008
【図８】
0004573046.tif 000009